(57)【要約】【課題】  撮影の目的に応じて適切な露出制御やフォーカス制御などの撮影準備を行えるようにすること。【解決手段】  被写体を撮影し、撮影した被写体画像を画像データとして記録する撮像装置であって、撮影を指示するシャッターボタン（３０３）と、シャッターボタンの操作状態を判断し、当該判断結果に応じて、速度優先または画質優先のいずれかで撮影制御するシステム制御部（５０）とを有する。【選択図】  図１
2005110128.tif 000002
【特許請求の範囲】
【請求項１】
被写体を撮影し、撮影した被写体画像を画像データとして記録する撮像装置であって、
撮影を指示する撮影指示手段と、
前記撮影指示手段の操作状態を判断する判断手段と、
前記判断手段による判断結果に応じて、速度優先または画質優先のいずれかで撮影制御する制御手段と
を有することを特徴とする撮像装置。
【請求項２】
前記撮影指示手段は、半押し状態と全押し状態の２種類の状態を設定可能な２段式のシャッターボタンであり、前記判断手段は前記半押し状態から前記全押し状態への移行にかかった時間が所定時間を超えるどうか判断し、前記制御手段は、所定時間以下の場合に前記速度優先の撮影制御を行い、所定時間を超える場合には、前記画質優先の撮影制御を行うことを特徴とする請求項１に記載の撮像装置。
【請求項３】
前記速度優先の撮影制御を設定及び解除する設定手段を更に有し、
前記設定手段により前記速度優先の撮影制御が解除されていた場合に、前記制御手段は、前記撮影指示手段の操作状態に関わらず、前記画質優先の撮影制御を行うことを特徴とする請求項１または２に記載の撮像装置。
【請求項４】
前記画質優先の撮影制御では、高精度な露出制御とフォーカス制御を行い、前記速度優先の撮影制御では、前記高精度な露出制御とフォーカス制御よりも短時間で実行可能な露出制御とフォーカス制御を行うことを特徴とする請求項１乃至３のいずれかに記載の撮像装置。
【請求項５】
被写体を撮影し、撮影した被写体画像を画像データとして記録する撮像制御方法であって、
撮影を指示する撮影指示工程と、
前記撮影指示手段の操作状態を判断する判断工程と、
前記判断工程における判断結果に応じて、速度優先または画質優先のいずれかで撮影制御する制御工程と
を有することを特徴とする撮像制御方法。
【請求項６】
前記速度優先の撮影制御を設定及び解除する設定工程を更に有し、
前記設定工程で前記速度優先の撮影制御が解除された場合に、前記制御工程では、前記撮影指示手段の操作状態に関わらず、前記画質優先の撮影制御を行うことを特徴とする請求項５に記載の撮像制御方法。
【請求項７】
請求項５または６に記載の撮像制御方法を実現するためのプログラムコードを有することを特徴とする情報処理装置が実行可能なプログラム。
【請求項８】
請求項７に記載のプログラムを記憶したことを特徴とする情報処理装置が読み取り可能な記憶媒体。
【発明の詳細な説明】
【技術分野】
【０００１】
本発明は、画像を撮像、記録する撮像装置及び撮像制御方法に関する。
【背景技術】
【０００２】
従来電子カメラにおいて、２段式のシャッターを有するものがある。２段式のシャッターでは、一般的に、シャッターボタンを半押し、すなわち浅く押したときに第１スイッチ（ＳＷ１）がＯＮとなって露出調節やフォーカス制御などの撮影準備が自動的に行われ、このＳＷ１を通してシャッターボタンを全押し、すなわち深く押したときに第２スイッチ（ＳＷ２）がＯＮとなって、画像の記録（撮影）が行われていた。
【０００３】
このような電子カメラでは、ＳＷ１のＯＮ時に高精度な露出制御やフォーカス制御などを自動的に行うので、シャッターボタンを一気に全押しした場合でも、必ずＳＷ１を通ってからＳＷ２がＯＮになるため、高精度な露出制御やフォーカス制御（例えば、特許文献１参照）などを必ず自動的に行った後に撮影が行われる。
【０００４】
また、ＳＷ１がＯＮされた後、ＳＷ２がＯＮするまでの時間に応じて、ストロボ撮影時の赤目緩和対策を行うか否かの制御をする構成が提案されている（例えば、特許文献２参照）。
【０００５】
【特許文献１】特開平６−２６５９８７号公報
【特許文献２】特開平７−３０３２０５号公報
【発明の開示】
【発明が解決しようとする課題】
【０００６】
撮影を指示してから実際に撮影するまでのタイムラグが待てるシーンを撮影する場合には、高精度に露出制御やフォーカス制御を行ってから撮影するのは好ましいが、例えば動きが速い被写体を撮影する場合など、撮影を指示してからタイムラグ無く撮影を行いたい場合であっても、高精度な露出制御及びフォーカス制御を行ってしまうため、実際の撮影が行われるまでにタイムラグが発生してしまい、シャッターチャンスを逃すことがあった。
【０００７】
本発明は上記問題点を鑑みてなされたものであり、撮影の目的に応じて適切な露出制御やフォーカス制御などの撮影準備を行えるようにすることを目的とする。
【課題を解決するための手段】
【０００８】
上記目的を達成するために、被写体を撮影し、撮影した被写体画像を画像データとして記録する本発明の撮像装置は、撮影を指示する撮影指示手段と、前記撮影指示手段の操作状態を判断する判断手段と、前記判断手段による判断結果に応じて、速度優先または画質優先のいずれかで撮影制御する制御手段とを有する。
【０００９】
また、被写体を撮影し、撮影した被写体画像を画像データとして記録する本発明の撮像制御方法は、撮影を指示する撮影指示工程と、前記撮影指示手段の操作状態を判断する判断工程と、前記判断工程における判断結果に応じて、速度優先または画質優先のいずれかで撮影制御する制御工程とを有する。
【発明の効果】
【００１０】
上記構成によれば、撮影の目的に応じて適切な露出制御やフォーカス制御などの撮影準備を行うことが可能となる。
【発明を実施するための最良の形態】
【００１１】
以下、添付図面を参照して本発明を実施するための最良の形態を詳細に説明する。
【００１２】
図１は、本発明の実施の形態における撮像装置の構成を示すブロック図である。
【００１３】
図１において、１００はディジタルカメラなどの撮像装置である。
【００１４】
撮像装置１００内において、１０は撮影レンズ群、１２は絞り機能を備えるシャッター、１４は光学像を電気信号に変換する撮像素子、１６は撮像素子１４のアナログ信号出力をディジタル信号に変換するＡ／Ｄ変換器、１８は撮像素子１４、Ａ／Ｄ変換器１６、Ｄ／Ａ変換器２６にクロック信号や制御信号を供給するタイミング発生回路であり、メモリ制御部２２及びシステム制御部５０により制御される。
【００１５】
２０は画像処理部であり、Ａ／Ｄ変換器１６からのデータ或いはメモリ制御部２２からのデータに対して所定の画素補間処理や色変換処理を行う。また、画像処理部２０においては、撮像した画像データを用いて所定の演算処理を行い、システム制御部５０は、得られた演算結果に基づいて、露出制御回路４０および測距制御回路４２に対して、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理部２０は、撮像した画像データを用いて所定の演算処理を行い、得られた演算結果に基づいてＴＴＬ方式のＡＷＢ（オートホワイトバランス）処理も行っている。
【００１６】
２２はメモリ制御部であり、Ａ／Ｄ変換器１６、タイミング発生回路１８、画像処理部２０、画像表示メモリ２４、Ｄ／Ａ変換器２６、メモリ３０、圧縮・伸長回路３２を制御する。Ａ／Ｄ変換器１６のデータが、画像処理部２０およびメモリ制御部２２を介して、或いは直接メモリ制御部２２を介して、画像表示メモリ２４或いはメモリ３０に書き込まれる。
【００１７】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。この画像表示部２８を用いて撮像した画像データを逐次表示すれば、電子ファインダー機能を実現することが可能である。また、画像表示部２８は、システム制御部５０の指示により任意に表示をＯＮ／ＯＦＦすることが可能であり、表示をＯＦＦにした場合には撮像装置１００の電力消費を大幅に低減することができる。
【００１８】
３０は撮影した静止画像や動画像を格納するためのメモリであり、所定枚数の静止画像や所定時間の動画像を格納するのに十分な記憶量を備えている。これにより、複数枚の静止画像を連続して撮影する連続撮影やパノラマ撮影の場合にも、高速かつ大量の画像書き込みをメモリ３０に対して行うことが可能となる。また、メモリ３０はシステム制御部５０の作業領域としても使用することが可能である。
【００１９】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータを再びメモリ３０に書き込む。
【００２０】
４０は絞り機能を備えるシャッター１２、タイミング発生回路１８による撮像素子１４の電荷排出動作から読み出し動作までの蓄積時間を制御する電子シャッターの制御及び、撮像感度調節回路１５の制御を行う露出制御回路であり、フラッシュ４８と連携することによりフラッシュ調光機能も有するものである。
【００２１】
４２は撮影レンズ群１０のフォーカシングを制御する測距制御回路、４４は変倍系レンズ１０のズーミングを制御するズーム制御回路、４６はバリアである保護装置１０２の動作を制御するバリア制御回路である。４８はフラッシュであり、ＡＦ補助光の投光機能、フラッシュ調光機能も有する。
【００２２】
露出制御回路４０、測距制御回路４２はＴＴＬ方式を用いて制御されており、撮像した画像データを画像処理部２０によって演算した演算結果に基づき、システム制御部５０が露出制御回路４０および測距制御回路４２に対して制御を行う。
【００２３】
５０は撮像装置１００全体を制御するシステム制御部、５２はシステム制御部５０の動作用の定数、変数、プログラム等を記憶するメモリである。５４はシステム制御部５０でのプログラムの実行に応じて、文字、画像、音声等を用いて動作状態やメッセージ等をユーザに報知する、表示装置やスピーカー等の表示部であり、撮像装置１００の操作部近辺の視認し易い位置に単数或いは複数個所設置される。例えばＬＣＤやＬＥＤ、発音素子等の組み合わせにより構成されている。また、表示部５４は、その一部の機能が光学ファインダー１０４内に設置されている。
【００２４】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示等がある。
【００２５】
また、表示部５４の表示内容のうち、光学ファインダー１０４内に表示するものとしては、合焦表示、手振れ警告表示、フラッシュ充電表示、シャッタースピード表示、絞り値表示、露出補正表示等がある。
【００２６】
５６は電気的に消去・記録可能な不揮発性メモリであり、例えばEEPROM等が用いられる。６０、６２、６４、６６、６８及び７０は、システム制御部５０の各種の動作指示を入力するための操作手段であり、スイッチやダイアル、タッチパネル、視線検知によるポインティング、音声認識装置等の単数或いは複数の組み合わせで構成される。
【００２７】
以下、操作手段について説明する。６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００２８】
６２はシャッタースイッチＳＷ１で、後述する図２に示すシャッターボタン３０３の操作途中（シャッターボタン３０３の半押し）でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２９】
６４はシャッタースイッチＳＷ２で、後述する図２に示すシャッターボタン３０３の操作完了（シャッターボタン３０３の全押し）でＯＮとなり、撮像素子１２から読み出した信号をＡ／Ｄ変換器１６、メモリ制御部２２を介してメモリ３０に画像データを書き込む露光処理、画像処理部２０やメモリ制御部２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３０】
６６は画像表示ＯＮ／ＯＦＦスイッチで、画像表示部２８のＯＮ／ＯＦＦを設定することができる。この機能により、光学ファインダー１０４を用いて撮影を行う際に、ＴＦＴ  ＬＣＤ等から成る画像表示部２８への電流供給を遮断することにより、省電力を図ることが可能となる。
【００３１】
６８はクイックレビューＯＮ／ＯＦＦスイッチで、撮影直後に撮影した画像データを自動再生するクイックレビュー機能を設定する。尚、本実施の形態では特に、画像表示部２８をＯＦＦとした場合におけるクイックレビュー機能の設定をする機能を備えるものとする。
【００３２】
７０は各種ボタンやタッチパネル等からなる操作部で、図２に示すモード切替レバー３０２、メニューボタン３０５、セットボタン３０６の他、マクロ／非マクロ切り替えボタン、マルチ画面再生改ページボタン、フラッシュ設定ボタン、単写／連写／セルフタイマー切り替えボタン、更に、例えば図２の十字ボタン３０９の形態で実現されるメニュー移動＋（プラス）ボタン、メニュー移動−（マイナス）ボタン、再生画像移動＋（プラス）ボタン、及び再生画像−（マイナス）ボタン、また、撮影画質選択ボタン、露出補正ボタン、日付/時間設定ボタン、画像削除ボタン、画像削除取消しボタン等がある。
【００３３】
８０は電源制御部で、電池検出回路、ＤＣ−ＣＤコンバータ、通電するブロックを切り替えるスイッチ回路等により構成されており、電池の装着の有無、電池の種類、電池残量の検出を行い、検出結果及びシステム制御部５０の指示に基づいてＤＣ−ＤＣコンバータを制御し、必要な電圧を必要な期間、記録媒体を含む各部へ供給する。
【００３４】
８２、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３５】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知回路である。
【００３６】
尚、本実施の形態では記録媒体を取り付けるインターフェース及びコネクタを２系統持つものとして説明している。勿論、記録媒体を取り付けるインターフェース及びコネクタは、単数或いは複数、いずれの系統数を備える構成としても構わない。また、異なる規格のインターフェース及びコネクタを組み合わせて備える構成としてもよい。
【００３７】
インターフェース及びコネクタとしては、ＰＣＭＣＩＡカードやＣＦ（コンパクトフラッシュ（登録商標））カード等の規格に準拠したものを用いて構成することが可能である。インタフェース９０及び９４、そしてコネクタ９２及び９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００３８】
１０２は、撮像装置１００の撮影レンズ群１０を含む撮像部を覆う事により、撮像部の汚れや破損を防止する保護装置であるバリアである。
【００３９】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示等が設置されている。
【００４０】
１１０は通信回路で、ＲＳ２３２ＣやＵＳＢ、ＩＥＥＥ１３９４、Ｐ１２８４、ＳＣＳＩ、モデム、ＬＡＮ、無線通信等の各種通信機能を有する。
【００４１】
１１２は通信回路１１０により撮像装置１００を他の機器と接続するコネクタ或いは無線通信の場合はアンテナである。
【００４２】
２００および２１０はメモリカードやハードディスク等の記録媒体である。記録媒体２００および２１０は、それぞれ半導体メモリや磁気ディスク等から構成される記録部２０２および２１２と、撮像装置１００とのインタフェース２０４および２１４と、撮像装置１００と接続を行うコネクタ２０６および２１６とを備えている。
【００４３】
図２は、上記構成を有する撮像装置の一例として、電子カメラの外観を示す背面斜視図である。
【００４４】
図２において、３０１は電源をON/OFFするための電源ボタンである。３０２はモード切り替えレバーで、撮影モード、再生モード、動画撮影モード、静止画撮影モード等の各機能モードを切り替え設定することができる。３０３はシャッターボタンを示す。シャッターボタン３０３は上述したように２段スイッチ構成を有し、半押しでシャッタースイッチＳＷ１（６２）がＯＮになり、全押しでシャッタースイッチＳＷ２（６４）がＯＮになる。
【００４５】
３０４は撮影した画像やメニュー画面、動作状態等を表示する画像表示部である。画像表示部３０４は通常ＬＣＤ（液晶ディスプレイ）を使用しているので、以下、ＬＣＤと記す。静止画像及び或いは動画像の再生等のための画面もＬＣＤ３０４に表示される。３０５はメニューボタンで、撮影パラメータやカメラの設定を変更するためのメニュー画面に出入りするためのボタンである。３０６はＳＥＴボタンで、メニューの決定等に使用する。３０７は削除ボタンで、画像の削除を指定することができる。３０８は表示ボタンで、ＬＣＤ３０４における表示の有無などを切り替えるボタンである。３０９は十字ボタンで、この上下左右ボタンを使ってメニュー画面での項目の移動などを行ったり、再生モードでは左右ボタンを押して画像送りを行ったりするのに使用する。
【００４６】
撮影処理において、高精度な露出制御やフォーカス制御を常に行うと、撮影までにタイムラグが発生してしまい、急いで撮影したいシーンではシャッターチャンスを逃してしまう可能性がある。
【００４７】
そこで本実施の形態では、シャッターボタン３０３のＳＷ１（６２）のＯＮに応じて高精度な露出制御やフォーカス制御等の撮影準備完了を待った後にＳＷ２（６４）のＯＮにより撮影を行う従来の撮影方法の他に、ＳＷ１（６２）のＯＮ後、一定時間内にＳＷ２（６４）がＯＮされた場合、すなわち一気にシャッターボタン３０３を全押し状態まで押し込んだ場合、高速な撮影を目的とした露出制御とフォーカス制御を行い、より短いタイムラグで撮影を行う撮影方法を有する。なお、後者の撮影方法をクイック撮影と呼ぶ。また、本実施の形態では、従来の撮影方法と、クイック撮影のいずれかを選択する手段を設ける。
【００４８】
なお、クイック撮影時には、例えば、露出制御においては電子ファインダ表示において用いた露出値を用い、フォーカス制御においては定点にレンズを移動して焦点を固定することにより、高速な撮影を実現することができる。ただし、本発明はこれに限られるものではなく、いずれか一方であっても、別の方法を用いても良いことは言うまでもない。
【００４９】
図３は、ＬＣＤ３０４に表示されたメニュー画面におけるクイック撮影入切の設定画面である。メニューボタン３０５を押すことによりメニュー画面に入り、十字ボタン３０９を操作してクイック撮影を選択し、図３に示すクイック撮影入切を設定する。クイック撮影が入時にのみ、シャッターボタン３０３を一気に全押しするとクイック撮影が行われる。
【００５０】
図４は、本実施の形態における撮影処理を示すフローチャートである。なお、図４に示す撮影処理は、システム制御部５０に制御されて実行される。
【００５１】
ステップＳ４１でＳＷ１のＯＮを待ち、押下後、一定時間内にＳＷ２がＯＮした場合、すなわちシャッターボタン３０３を一気に全押しした場合（ステップＳ４２でＹＥＳ）、ステップＳ４３においてクイック撮影の入切を判断する。入ならばステップＳ４４に進んで高速な露出制御とフォーカス制御を行い、完了後、撮影を行う（ステップＳ４６）。一方、クイック撮影が切ならば（ステップＳ４３でＮＯ）、ステップＳ４５で高精度な露出制御・高精度なフォーカス制御を行い、完了後に撮影を行う（ステップＳ４６）。
【００５２】
また、ステップＳ４１でＳＷ１のＯＮ後、一定時間過ぎた後にＳＷ２がＯＮしなかった場合（ステップＳ４２でＮＯ）、ステップＳ４７においてＳＷ１がまだＯＮ状態であるかどうか、すなわちシャッターボタン３０３が半押し状態のままでいるかどうかを調べる 。ＳＷ１がＯＦＦの場合、すなわちシャッターボタン３０３の半押しが解除されていたら、撮影準備を行なわずにステップＳ４１に戻って次のＳＷ１のＯＮを待つ。一方、ステップＳ４７でＳＷ１が引き続きＯＮであれば、すなわちシャッターボタン３０３が半押し状態のままでいたら、クイック撮影入切設定の内容に関わらずクイック撮影を行わないものと判断し、ステップＳ４８で高精度な露出制御及びフォーカス制御を行い、撮影準備完了となる。
【００５３】
撮影準備終了後、ＳＷ１がＯＮ状態であるかどうかを調べ（ステップＳ４９）、更に、ＳＷ２がＯＮになったかどうかを調べる（ステップＳ５０）。ＳＷ２がＯＮになる前にＳＷ１が解除されると（ステップＳ４９でＯＦＦ）、処理を終了し、ステップＳ４１に戻って次のシャッターボタン３０３の押下を待つ。また、ＳＷ１がＯＮの状態のまま（ステップＳ４９でＯＮ）、ＳＷ２がＯＮになると（ステップＳ５０でＯＮ）、ステップＳ４６に進んで撮影を行う。
【００５４】
上記の通り本実施の形態によれば、クイック撮影が設定されている場合に、シャッターボタン３０３を一気に全押しした場合、高速な露出制御とフォーカス制御を行うので、撮影指示から実際に撮影が行われるまでのタイムラグを短くすることができるため、速度優先で撮影を行うことができる。また、シャッターボタン３０３の半押しから全押しの操作を所定時間以上かけて行った場合には、高精度な露出制御及びフォーカス制御を行うため、画質優先の撮影を行うことができる。
【００５５】
このように、撮影の目的に応じて適切な露出制御やフォーカス制御などの撮影準備を行うことができる。
【００５６】
また、上記実施の形態では、クイック撮影の入切に応じて処理を変更したが、常にクイック撮影が入となった場合の制御を行うように構成しても良い。
【００５７】
更に、上記実施の形態では、シャッターボタン３０３のＳＷ１からＳＷ２に移行する時間に応じてクイック撮影を行うかどうかを判断したが、本発明はこれに限るものではなく、例えば、クイック撮影の指示ボタンを別に設け、該指示ボタンとシャッターボタン３０３とを同時押下した場合にクイック撮影を行うなど、様々な指示の仕方が可能であり、本発明は指示の仕方に限定されるものではない。
【００５８】
また、本発明は、一つの機器からなる装置に限るものではなく、複数の機器（例えばカメラヘッド、インターフェイス機器、制御装置など）から構成されるシステムに適用することも可能である。
【００５９】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【００６０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００６１】
本発明を上記記憶媒体に適用する場合、その記憶媒体には、先に説明した図４に示すフローチャートに対応するプログラムコードが格納されることになる。
【図面の簡単な説明】
【００６２】
【図１】本発明の実施の形態における撮像装置の構成を示すブロック図である。
【図２】本発明の実施の形態における撮像装置の一形態である電子カメラの外観を示す背面斜視図である。
【図３】本発明の実施の形態におけるクイック撮影入切設定画面の一例を示す図である。
【図４】本発明の実施の形態における撮影処理を示すフローチャートである。
【符号の説明】
【００６３】
１００：撮像装置、１０：撮影レンズ群、１２：シャッター、１４：撮像素子、１６：Ａ／Ｄ変換器、１８：タイミング発生回路、２０：画像処理部、２２：メモリ制御部、２４：画像表示メモリ、２６：Ｄ／Ａ変換器、２８：画像表示部、３０；メモリ、３２：画像圧縮・伸長回路、４０：露光制御回路、４２：測距制御回路、４４：ズーム制御回路、４６：バリア制御回路、４８：フラッシュ、５０：システム制御部、５２：メモリ、５４：表示部、５６；不揮発性メモリ、６０：モードダイアルスイッチ、６２：シャッタースイッチＳＷ１、６４：シャッタースイッチＳＷ２、６６：画像表示ＯＮ／ＯＦＦスイッチ、６８：クイックレビューＯＮ／ＯＦＦスイッチ、７０：操作部、８０：電源制御部、８２、８４：コネクタ、８６：電源部、９０，９４：インタ−フェース、９２、９６：コネクタ、９８：記録媒体着脱検知回路、１０２：バリア、１０４：光学ファインダ、１１０：通信回路、１１２：コネクタ（またはアンテナ）、２００、２１０：記録媒体、２０２、２１２：記録部、２０４、２１４：インターフェース、２０６、２１６：コネクタ、３０１：電源ボタン、３０２：モード切り替えレバー、３０３：シャッターボタン、３０４：表示部、３０５：メニューボタン、３０６：ＳＥＴボタン、３０７：削除ボタン、３０８：表示ボタン、３０９：十字ボタン
【図１】
2005110128.tif 000003
【図２】
2005110128.tif 000004
【図３】
2005110128.tif 000005
【図４】
2005110128.tif 000006